(57)【要約】【課題】複数の電源を切り換えて負荷に自動的に接続する自動電源多重化装置において、負荷に接続されている電源を認識できるようにした自動電源多重化装置を提供する。【解決手段】商用電源２１とエンジン発電機２２に接続される２組の電源線の中の活線状態の１組を情報処理装置３２に接続するために２組の電源線にそれぞれ１個のリレーＲＬ１、ＲＬ２のコイルと２個のリレーの接点ｒｌ１、ｒｌ２を接続し、リレーＲＬ１は、商用電源２１の電源線にメーク接点を、エンジン発電機２２の電源線にブレーク接点を接続し、リレーＲＬ２は、エンジン発電機２２のの電源線にメーク接点を、商用電源２１の電源線にブレーク接点を接続し、リレーＲＬ１とリレーＲＬ２との内の少なくとも一方の接点ｒｌ１、ｒｌ２の状態を検出するリレー状態検出回路９を設ける。【選択図】      図１
2004289964.tif 000002
【特許請求の範囲】
【請求項１】
ｎ個の電源に接続されるｎ組（ｎ≧２）の電源線の中の活線状態の１組を負荷に接続するためにｎ組の前記電源線にそれぞれ１個のリレーのコイルとｎ個の前記リレーの接点を接続した自動電源多重化装置において、ｎ個の前記リレーの内の少なくとも１個の前記リレーの接点の状態を検出する状態信号検出手段を有することを特徴とする自動電源多重化装置。
【請求項２】
ｎ個の電源に接続されるｎ組（ｎ≧２）の電源線の中の活線状態の１組を負荷に接続するためにｎ組の前記電源線にそれぞれ１個のリレーのコイルとｎ個の前記リレーの接点を接続した自動電源多重化装置において、第ｍ組（１≦ｍ≦ｎ）の前記電源線に接続した前記リレーは、第ｍ組の前記電源線にメーク接点を、第ｍ組を除くすべての前記電源線にブレーク接点を有し、第ｍ組の前記電源線に接続する前記リレーのコイルは、第１組〜第ｍー１組の前記電源線に各々接続した前記リレーの前記ブレーク接点よりも前記負荷側に結線し、かつ、第ｍ組の前記電源線に接続する前記リレーの前記メーク接点および第ｍ＋１組〜第ｎ組の前記電源線に接続する前記リレーの前記ブレーク接点よりも電源側に結線し、ｎ組の前記電源線の内の１組を前記負荷に接続し、ｎ個の前記リレーの内の少なくとも１個の前記リレーの接点の状態を検出する状態信号検出手段を有することを特徴とする自動電源多重化装置。
【請求項３】
２個の電源に接続される２組の電源線の中の活線状態の１組を負荷に接続するために２組の前記電源線にそれぞれ１個のリレーのコイルと２個の前記リレーの接点を接続した自動電源多重化装置において、第１組の前記電源線に接続した第一リレーは、第１組の前記電源線にメーク接点を、第２組の前記電源線にブレーク接点を有し、第２組の前記電源線に接続した第二リレーは、第２組の前記電源線にメーク接点を、第１組の前記電源線にブレーク接点を有し、前記第二リレーの第二コイルは、前記第一リレーの前記ブレーク接点よりも前記負荷側に結線し、かつ、前記第二リレーの前記メーク接点および前記第二リレーの前記ブレーク接点よりも電源側に結線し、２組の前記電源線の内の何れか１組を前記負荷に接続し、前記第一リレーと前記第二リレーとの内の少なくとも一方の接点の状態を検出する状態信号検出手段を有することを特徴とする自動電源多重化装置。
【請求項４】
ｎ組の前記電源線の内の１組の前記負荷への接続は、第１組〜第ｍー１組の前記電源線の給電がすべて中断したとき、第ｍ組の前記電源線を前記負荷に接続し、かつ、第ｍ＋１組〜第ｎ組の前記電源線のすべてを前記負荷に接続しないことを特徴とする請求項２記載の自動電源多重化装置。
【請求項５】
前記第一リレーおよび前記第二リレーは、共に、５つの接点を有することを特徴とする請求項３記載の自動電源多重化装置。
【請求項６】
前記第一リレーおよび前記第二リレーは、共に、メーク接点を３個とブレーク接点を２個とを有することを特徴とする請求項３または５記載の自動電源多重化装置。
【請求項７】
前記第一リレーおよび前記第二リレーは、共に、３つの接点を有することを特徴とする請求項３記載の自動電源多重化装置。
【請求項８】
前記第一リレーおよび前記第二リレーは、共に、メーク接点を２個とブレーク接点を１個とを有することを特徴とする請求項３または７記載の自動電源多重化装置。
【請求項９】
前記状態信号検出手段は、前記メーク接点の状態を検出することを特徴とする請求項３項記載の自動電源多重化装置。
【請求項１０】
前記状態信号検出手段は、前記メーク接点が短絡時にローレベル信号を出力し、開放時にハイレベル信号を出力する手段を有することを特徴とする請求項３または９記載の自動電源多重化装置。
【請求項１１】
前記電源は、交流商用電源とエンジン発電機とを有することを特徴とする請求項３記載の自動電源多重化装置。
【請求項１２】
前記電源は、商用電源から生成される第一の直流電源と、バッテリバックアップされた第二の直流電源とを有することを特徴とする請求項３記載の自動電源多重化装置。
【請求項１３】
前記負荷は、情報処理装置を有し、前記情報処理装置は、無停電電源装置を介して前記電源と接続されることを特徴とする請求項３記載の自動電源多重化装置。
【発明の詳細な説明】
【０００１】
【発明の属する技術分野】
本発明は、自動電源多重化装置に関し、特に、複数組の電源線を切り換えて情報処理装置などの負荷に電源を自動的に接続する自動電源多重化装置に関する。
【０００２】
【従来の技術】
コンピュータなどの情報処理システムにおいて、一般的に、主要な回路・機器などを二重化・多重化することにより、システムの信頼性や運用性を向上させる技術がある。
【０００３】
電源の多重化技術もシステムの信頼性や運用性を向上させる一手段として効果の著しいもので、電源供給がシステム稼働に必要不可欠であることから、システムの信頼性や運用性の向上に大いに寄与している。
【０００４】
電源の多重化技術として、複数の電源を自動的に切り換えて負荷に接続するものがある（例えば、特許文献１参照。）。
【０００５】
特許文献１記載の技術について、図４を参照して説明する。
【０００６】
図４を参照すると、自動電源多重化装置１４０は、リレーＲＬ１３が電源Ｅ１に接続され、電源Ｅ１が供給されているときには常にオン状態であり、リレーＲＬ１３の接点ｒｌ１３は、接点ｒ１３１、接点ｒ１３２、接点ｒ１３３、接点ｒ１３４の４つの接点を有し、リレーＲＬ１３のメーク接点ｒ１３１およびｒ１３２は、電源Ｅ１に対してリレーＲＬ１３の接続点Ｐ１１よりも負荷１５０側に装入され、リレーＲＬ１３のブレーク接点ｒ１３３およびｒ１３４は、電源Ｅ２側に装入され、また、リレーＲＬ１４は、電源Ｅ２に接続され、その接続点Ｐ１２は、リレーＲＬ１３のブレーク接点ｒ１３３およびｒ１３４よりも電源Ｅ２に対して負荷１５０側にあり、リレーＲＬ１４の接点ｒｌ１４は、接点ｒ１４１、接点ｒ１４２、接点ｒ１４３、接点ｒ１４４の４つの接点を有し、リレーＲＬ１４のメーク接点ｒ１４３およびｒ１４４は、リレーＲＬ１４の接続点Ｐ１２よりも負荷１５０側に装入され、リレーＲＬ１４のブレーク接点ｒ１４１およびｒ１４２は、電源Ｅ１側に装入され、リレーＲＬ１３の接続点Ｐ１１よりも負荷１５０側に位置するよう構成される。
【０００７】
また、上記配線を経た電源Ｅ１およびＥ２の電源線を接続点Ｐ１３において集線して負荷１５０に接続して構成される。
【０００８】
次に、上述のように構成された自動電源多重化装置１４０の動作について説明する。
【０００９】
自動電源多重化装置１４０は、電源Ｅ１およびＥ２が給電されているとき、常に電源Ｅ１を負荷１５０に接続するが、電源Ｅ１給電中は、リレーＲＬ１３がオンとなり、リレーＲＬ１３のブレーク接点ｒ１３３およびｒ１３４がブレークしてリレー１４をオフすると同時に、リレーＲＬ１３のメーク接点ｒ１３１およびｒ１３２がメークし、さらにリレーＲＬ１４がオフしているのでそのブレーク接点ｒ１４１およびｒ１４２を経て電源Ｅ１を負荷１５０に接続する。
【００１０】
また、電源Ｅ１の給電が中断し、電源Ｅ２が給電中のときは、リレーＲＬ１３がオフとなり、そのブレーク接点ｒ１３３およびｒ１３４を経てリレーＲＬ１４がオンとなり、リレーＲＬ１４のメーク接点ｒ１４３およびｒ１４４がメークして、電源Ｅ２を負荷１５０に接続する。
【００１１】
このとき、給電が中断していた電源Ｅ１が復旧して給電を再開すると、リレーＲＬ１３がオンとなり、そのメーク接点ｒ１３１およびｒ１３２をメークすると同時に、ブレーク接点ｒ１３３およびｒ１３４をブレークし、リレーＲＬ１４をオフにし、リレーＲＬ１４のブレーク接点がメーク状態となり、電源Ｅ１が負荷１５０に接続される。
【００１２】
さらに、電源Ｅ１およびＥ２が共に給電停止の状態から同時に給電再開したとき、各リレーＲＬ１３およびＲＬ１４は、それぞれのブレーク接点をブレークしてからメーク接点をメークするように作動するので、電源Ｅ１およびＥ２が短絡することはない。
【００１３】
しかし、上記自動電源多重化装置１４０は、負荷１５０に給電している電源がＥ１またはＥ２のどちらであるかの判別がつかず、供給電源がＥ１とＥ２では、負荷１５０の処理が異なる場合には、使用できないという欠点がある。
【００１４】
例えば、負荷１５０が無停電電源装置（図示せず）と情報処理装置（図示せず）で構成されており、電源Ｅ１に商用電源が与えられ、電源Ｅ２にエンジン発電機が与えられている場合、商用電源がダウンし、エンジン発電機からの電力で無停電電源装置（ＵＰＳ）が動作している場合、エンジン発電機の発電持続時間を考慮して、情報処理装置のコンピュータ機器にシャットダウン指示を与えることなどにより運用性向上は可能であるが、選択されている入力電源系を認識することができないため、コンピュータ機器のシャットダウン時間は、ＵＰＳのバッテリ保持時間での制限を受け、エンジン発電機による保持時間は、シャットダウン時間の増加に寄与させることができないという欠点がある。
【００１５】
【特許文献１】
特開昭６１ー２０７１３５号公報
【００１６】
【発明が解決しようとする課題】
上述のように、従来の自動電源多重化装置は、電源として、商用電源とエンジン発電機が付与され、商用電源がダウンし、エンジン発電機からの電力で無停電電源装置が動作している場合、コンピュータ機器（負荷）に給電している電源がの判別がつかないため、コンピュータ機器のシャットダウン時間は、無停電電源装置のバッテリ保持時間での制限を受け、エンジン発電機による保持時間は、シャットダウン時間の増加に寄与させることができないという課題がある。
【００１７】
本発明の目的は、複数の電源を切り換えて負荷に自動的に接続する自動電源多重化装置において、負荷に接続されている電源を認識できるようにした自動電源多重化装置を提供することにある。
【００１８】
【課題を解決するための手段】
本発明の自動電源多重化装置は、ｎ個の電源に接続されるｎ組（ｎ≧２）の電源線の中の活線状態の１組を負荷に接続するためにｎ組の電源線にそれぞれ１個のリレーのコイルとｎ個のリレーの接点を接続した自動電源多重化装置において、ｎ個のリレーの内の少なくとも１個のリレーの接点の状態を検出する状態信号検出手段を有することを特徴とする。
【００１９】
本発明の自動電源多重化装置は、ｎ個の電源に接続されるｎ組（ｎ≧２）の電源線の中の活線状態の１組を負荷に接続するためにｎ組の電源線にそれぞれ１個のリレーのコイルとｎ個のリレーの接点を接続した自動電源多重化装置において、第ｍ組（１≦ｍ≦ｎ）の電源線に接続したリレーは、第ｍ組の電源線にメーク接点を、第ｍ組を除くすべての電源線にブレーク接点を有し、第ｍ組の電源線に接続するリレーのコイルは、第１組〜第ｍー１組の電源線に各々接続したリレーのブレーク接点よりも負荷側に結線し、かつ、第ｍ組の電源線に接続するリレーのメーク接点および第ｍ＋１組〜第ｎ組の電源線に接続するリレーのブレーク接点よりも電源側に結線し、ｎ組の電源線の内の１組を負荷に接続し、ｎ個のリレーの内の少なくとも１個のリレーの接点の状態を検出する状態信号検出手段を有することを特徴とする。
【００２０】
本発明の自動電源多重化装置は、２個の電源に接続される２組の電源線の中の活線状態の１組を負荷に接続するために２組の電源線にそれぞれ１個のリレーのコイルと２個のリレーの接点を接続した自動電源多重化装置において、第１組の電源線に接続した第一リレーは、第１組の電源線にメーク接点を、第２組の電源線にブレーク接点を有し、第２組の電源線に接続した第二リレーは、第２組の電源線にメーク接点を、第１組の電源線にブレーク接点を有し、第二リレーの第二コイルは、第一リレーのブレーク接点よりも負荷側に結線し、かつ、第二リレーのメーク接点および第二リレーのブレーク接点よりも電源側に結線し、２組の電源線の内の何れか１組を負荷に接続し、第一リレーと第二リレーとの内の少なくとも一方の接点の状態を検出する状態信号検出手段を有することを特徴とする。
【００２１】
ｎ組の電源線の内の１組の負荷への接続は、第１組〜第ｍー１組の電源線の給電がすべて中断したとき、第ｍ組の電源線を負荷に接続し、かつ、第ｍ＋１組〜第ｎ組の電源線のすべてを負荷に接続しないことを特徴とする。
【００２２】
第一リレーおよび第二リレーは、共に、５つの接点を有することを特徴とする。
【００２３】
第一リレーおよび前記第二リレーは、共に、メーク接点を３個とブレーク接点を２個とを有することを特徴とする。
【００２４】
第一リレーおよび第二リレーは、共に、３つの接点を有することを特徴とする。
【００２５】
第一リレーおよび第二リレーは、共に、メーク接点を２個とブレーク接点を１個とを有することを特徴とする。
【００２６】
状態信号検出手段は、メーク接点の状態を検出することを特徴とする。
【００２７】
状態信号検出手段は、メーク接点が短絡時にローレベル信号を出力し、開放時にハイレベル信号を出力する手段を有することを特徴とする。
【００２８】
電源は、交流商用電源とエンジン発電機とを有することを特徴とする。
【００２９】
電源は、商用電源から生成される第一の直流電源と、バッテリバックアップされた第二の直流電源とを有することを特徴とする。
【００３０】
負荷は、情報処理装置を有し、情報処理装置は、無停電電源装置を介して電源と接続されることを特徴とする。
【００３１】
【発明の実施の形態】
次に、本発明の自動電源多重化装置の第一の実施の形態について、図面を参照して説明する。
【００３２】
図１は、本発明の自動電源多重化装置１０の第一の実施の形態を示す概略回路図、図３は、図１中のリレー状態検出回路９を示す図である。
【００３３】
図１を参照すると、自動電源多重化装置１０は、リレーＲＬ１（コイル）が電源Ｅ１としての商用電源２１に接続され、商用電源２１が供給されているときには常にオン状態であり、リレーＲＬ１の接点ｒｌ１は、接点ｒ１１、接点ｒ１２、接点ｒ１３、接点ｒ１４、接点ｒ１５の５つの接点を有し、リレーＲＬ１のメーク接点ｒ１１およびｒ１２は、電源Ｅ１に対してリレーＲＬ１の接続点Ｐ１よりもＵＰＳ（無停電交流電源装置）３１側に装入され、リレーＲＬ１のブレーク接点ｒ１３およびｒ１４は、電源Ｅ２としてのエンジン発電機２２に装入され、リレーＲＬ１のメーク接点ｒ１５は、リレーＲＬ１の状態検出信号Ｓ１として取り出され、リレー状態検出回路９に入力され、状態検出信号Ｓ１が短絡状態のときは、リレーＲＬ１のオン状態を、状態検出信号Ｓ１が開放状態のときは、リレーＲＬ１のオフ状態を示すよう構成される。
【００３４】
リレーＲＬ２（コイル）は、電源Ｅ２としてのエンジン発電機２２に接続され、その接続点Ｐ２は、リレーＲＬ１のブレーク接点ｒ１３およびｒ１４よりも電源Ｅ２に対してＵＰＳ３１側にあり、リレーＲＬ２の接点ｒｌ２は、接点ｒ２１、接点ｒ２２、接点ｒ２３、接点ｒ２４、接点ｒ２５の５つの接点を有し、リレーＲＬ２のメーク接点ｒ２３およびｒ２４は、リレーＲＬ２の接続点Ｐ２よりもＵＰＳ３１側に装入され、リレーＲＬ２のブレーク接点ｒ２１およびｒ２２は、商用電源２１側に装入され、リレーＲＬ１の接続点Ｐ１よりもＵＰＳ３１側に位置し、リレーＲＬ２のメーク接点ｒ２５は、リレーＲＬ２の状態検出信号Ｓ２として取り出され、リレー状態検出回路９に入力され、状態検出信号Ｓ２が短絡状態のときは、リレーＲＬ２のオン状態を、状態検出信号Ｓ２が開放状態のときは、リレーＲＬ２のオフ状態を示すよう構成される。
【００３５】
上記配線を経た商用電源２１およびエンジン発電機２２の電源線を接続点Ｐ３において集線して、ＵＰＳ３１を介して情報処理装置３２に接続して構成される。
【００３６】
ここで、リレー状態検出回路９について説明する。
【００３７】
図３を参照すると、リレー状態検出回路９は、抵抗Ｒ２とコンデンサＣ３とからなるフィルタ回路９１と、比較器９２と、ＮＡＮＤ回路９３と、抵抗Ｒ４、Ｒ５、Ｒ６、Ｒ７、Ｒ９、Ｒ１０とで構成されるが、一般的な回路のため、その詳細な回路の説明を省略する。
【００３８】
状態検出信号Ｓ１、または、Ｓ２が短絡状態のとき（リレーＲＬ１、または、リレーＲＬ２がオンのとき）は、ＮＡＮＤ回路９３からＬ信号（ローレベル信号）が出力され、開放状態のとき（リレーＲＬ１、または、リレーＲＬ２がオフのとき）は、ＮＡＮＤ回路９３からＨ信号（ハイレベル信号）が出力されるが、情報処理装置３２側で、受信した信号がＬ信号のとき、継続運転が可能であることを示す信号、受信した信号がＨ信号のとき、運転停止中であることを示す信号として処理する。
【００３９】
次に、上述のように構成された自動電源多重化装置１０の動作について説明する。
【００４０】
商用電源２１が給電されているときは、常に、商用電源２１をＵＰＳ３１に接続するが、商用電源２１給電中は、リレーＲＬ１がオンとなり、リレーＲＬ１のブレーク接点ｒ１３およびｒ１４がブレークしてリレー２をオフすると同時に、リレーＲＬ１のメーク接点ｒ１１およびｒ１２がメークし、さらにリレーＲＬ２がオフしているので、そのブレーク接点ｒ２１およびｒ２２を経て商用電源２１をＵＰＳ３１を介して情報処理装置３２に給電し、また、状態検出信号Ｓ１は、商用電源２１が給電状態であり、リレーＲＬ１がオン状態であることを示す短絡状態をリレー状態検出回路９に入力する。
【００４１】
その結果、リレー状態検出回路９からは、情報処理装置３２に対し、継続運転が可能であることを示すＬ信号を送出し、情報処理装置３２は継続運転を行う。
【００４２】
なお、図示しないが、リレー状態検出回路９からは、ＵＰＳ３１、または、情報処理装置３２とＵＰＳ３１との両方に対し、継続運転が可能であることを示すＬ信号を送出してもよい。
【００４３】
次に、商用電源２１の給電が中断したとき、エンジン発電機２２が給電中であれば、リレーＲＬ１がオフとなり、そのブレーク接点ｒ１３およびｒ１４を経てリレーＲＬ２がオンとなり、リレーＲＬ２のメーク接点ｒ２３およびｒ２４がメークして、エンジン発電機２２をＵＰＳ３１を介して情報処理装置３２に接続し、また、状態検出信号Ｓ２は、商用電源２１が給電停止状態、リレーＲＬ１がオフ状態、かつ、エンジン発電機２２が給電中であり、リレーＲＬ２がオン状態であることを示す短絡状態をリレー状態検出回路９に入力する。
【００４４】
商用電源２１とエンジン発電機２２との給電切り換わり時には、商用電源２１とエンジン発電機２２とがアークを含めて短絡しないことが電源設備として重要であり、これへの対応として、自動電源多重化装置１０は、数ｍ〜数十ｍ秒の切換時間が発生するが、ＵＰＳ３１によりバックアップされており、情報処理装置３２には何ら悪影響は生じない。
【００４５】
また、エンジン発電機２２の運用形態の一つとして、商用電源２１が給電中の場合には停止し、商用電源２１が給電停止状態であることを認識してから後、数十秒〜数分間経ってから正常電圧になる場合もあるが、ＵＰＳ３１によりバックアップされているため、情報処理装置３２には何ら悪影響は生じない。
【００４６】
上述のように、商用電源２１の給電が中断したとき、状態検出信号Ｓ２は、商用電源２１が給電停止状態、リレーＲＬ１がオフ状態、かつ、エンジン発電機２２が給電中でリレーＲＬ２がオン状態であることを示す短絡状態をリレー状態検出回路９に入力される。
【００４７】
その結果、リレー状態検出回路９は、情報処理装置３２の稼働状況とデータを磁気ディスク装置（図示せず）にセーブするのに必要なデータ退避時間、ＵＰＳ３１の停電保持時間、エンジン発電機２２のエンジン運転可能時間を考慮し、商用電源２１の給電停止状態が継続した場合に有効なシャットダウン信号（図示せず）を情報処理装置３２に対し送出し、情報処理装置３１を最も有効な時点でシャットダウン処理させることが可能となる。
【００４８】
また、上記状態の中でシャットダウン処理に移行する前に給電が中断していた商用電源２１が復旧して給電を再開すると、リレーＲＬ１がオンとなるのでそのメーク接点ｒ１１およびｒ１２をメークすると同時に、ブレーク接点ｒ１３およびｒ１４をブレークし、リレーＲＬ２をオフにし、リレーＲＬ２のブレーク接点ｒ２１およびｒ２２がメーク状態となるので、商用電源２１がＵＰＳ３１に接続される。
【００４９】
このとき、状態検出信号Ｓ１は、商用電源２１が給電状態で、リレーＲＬ１がオン状態であることを示す短絡状態をリレー状態検出回路９に入力する。
【００５０】
その結果、リレー状態検出回路９からは、情報処理装置３２に対し、継続運転が可能であることを示すＬ信号を送出し、情報処理装置３２は、継続運転を行う。
【００５１】
さらに、商用電源２１およびエンジン発電機２２が共に給電停止の状態から同時に給電再開したときには、各リレーＲＬ１およびＲＬ２はそれぞれのブレーク接点をブレークしてからメーク接点をメークするように作動するので、商用電源２１およびエンジン発電機２２が短絡することはない。
【００５２】
次に、本発明の自動電源多重化装置の第二の実施の形態について、図面を参照して説明する。
【００５３】
図２は、本発明の自動電源多重化装置６０の第二の実施の形態を示す概略回路図である。
【００５４】
自動電源多重化装置６０は、電源Ｅ１、Ｅ２のいずれか一方を切り換えてＵＰＳ（無停電直流電源装置）８１に自動的に接続するが、既述の図１に示す第一の実施の形態の自動電源多重化装置１０と異なる点は、電源Ｅ１と電源Ｅ２の電源が共に、直流電源である点、および、リレーＲＬ５の接点ｒｌ５およびリレーＲＬ６の接点ｒｌ６が、共に、３つの接点を有する点である。
【００５５】
図２を参照すると、リレーＲＬ５は、電源Ｅ１としての商用電源から生成される第一の直流電源７１に接続され、第一の直流電源７１が供給されているときには、常にオンしており、リレーＲＬ５の接点ｒｌ５は、接点ｒ５１、接点ｒ５２、接点ｒ５３の３つの接点を有し、リレーＲＬ５のメーク接点ｒ５１は、電源Ｅ１に対してリレーＲＬ５の接続点Ｐ１よりもＵＰＳ８１側に装入され、リレーＲＬ５のブレーク接点ｒ５２は、電源Ｅ２としてのバッテリバックアップされた第二の直流電源７２に装入され、リレーＲＬ５のメーク接点ｒ５３は、リレーＲＬ５の状態検出信号Ｓ５として取り出され、リレー状態検出回路１９に入力され、状態検出信号Ｓ５が短絡状態のときは、リレーＲＬ５のオン状態を、状態検出信号Ｓ５が開放状態のときは、リレーＲＬ５のオフ状態を示すよう構成される。
【００５６】
リレーＲＬ６は、電源Ｅ２としてのバッテリバックアップされた第二の直流電源７２に接続され、その接続点Ｐ２は、リレーＲＬ５のブレーク接点ｒ５２よりも電源Ｅ２に対してＵＰＳ８１側に位置し、リレーＲＬ６の接点ｒｌ６は、接点ｒ６１、接点ｒ６２、接点ｒ６３の３つの接点を有し、リレーＲＬ６のメーク接点ｒ６２は、リレーＲＬ６の接続点Ｐ２よりもＵＰＳ８１側に装入され、また、リレーＲＬ６のブレーク接点ｒ６１は、電源Ｅ１に装入され、リレーＲＬ５の接続点Ｐ１よりもＵＰＳ８１側に位置し、リレーＲＬ６のメーク接点ｒ６３は、リレーＲＬ６の状態検出信号Ｓ６として取り出され、リレー状態検出回路１９に入力され、状態検出信号Ｓ６が短絡状態のときは、リレーＲＬ６のオン状態を、状態検出信号Ｓ６が開放状態のときは、リレーＲＬ６のオフ状態を示すよう構成される。
【００５７】
上記配線を経た電源Ｅ１としての第一の直流電源７１および電源Ｅ２としての第二の直流電源７２は、接続点Ｐ３において集線してＵＰＳ８１を介して情報処理装置８２に接続されて構成される。
【００５８】
次に、上述のように構成された自動電源多重化装置６０の動作について説明する。
【００５９】
自動電源多重化装置６０は、第一の直流電源７１が給電しているときは常に第一の直流電源７１がＵＰＳ８１に接続されるが、第一の直流電源７１の給電中は、リレーＲＬ５がオンとなり、リレーＲＬ５のブレーク接点ｒ５２がブレークしてリレー６をオフすると同時に、リレーＲＬ５のメーク接点ｒ５１がメークし、リレーＲＬ６がオフしているので、リレーＲＬ６のブレーク接点ｒ６１を経て第一の直流電源７１が、ＵＰＳ８１を介して情報処理装置８２に給電される。
【００６０】
また、状態検出信号Ｓ５は、第一の直流電源７１が給電状態で、リレーＲＬ５がオン状態であることを示す短絡状態をリレー状態検出回路１９に入力され、その結果、リレー状態検出回路１９からは、情報処理装置８２に対し、継続運転が可能であることを示すＬ信号を送出し、情報処理装置８２は、継続運転を行う。
【００６１】
次に、商用電源から生成される第一の直流電源７１の給電が中断したとき、バッテリバックアップされた第二の直流電源７２が給電中であれば、リレーＲＬ５がオフとなるので、そのブレーク接点ｒ５２を経てリレーＲＬ６がオンとなる。
【００６２】
従って、リレーＲＬ６のメーク接点ｒ６２がメークして、第二の直流電源７２がＵＰＳ８１を介して情報処理装置８２に接続される。
【００６３】
また、状態検出信号Ｓ６は、第一の直流電源７１が給電停止状態、リレーＲＬ５がオフ状態、かつ、バッテリバックアップされた第二の直流電源７２が給電中であり、リレーＲＬ６がオン状態であることを示す短絡状態をリレー状態検出回路１９に入力される。
【００６４】
第一の直流電源７１と第二の直流電源７２との給電切り換わり時には、第一の直流電源７１と第二の直流電源７２とは、アークを含めて短絡しないことが電源設備として重要であるが、これへの対応として、自動電源多重化装置６０は、数ｍ〜数十ｍ秒の切換時間が発生するが、ＵＰＳ８１によりバックアップされており、情報処理装置８２には何ら悪影響は生じない。
【００６５】
上述のように、状態検出信号Ｓ６は、商用電源から生成される第一の直流電源７１の給電が中断し、第一の直流電源７１が給電停止状態、リレーＲＬ５がオフ状態、かつ、バッテリバックアップされた第二の直流電源７２が給電中であり、リレーＲＬ６がオン状態であることを示す短絡状態を、リレー状態検出回路１９に入力されるが、その結果、リレー状態検出回路１９は、情報処理装置８２の稼働状況とデータとを磁気ディスク装置（図示せず）にセーブするのに必要なデータ退避時間、ＵＰＳ８１の停電保持時間、第二の直流電源７２のバッテリバックアップ運転可能時間とを考慮し、第一の直流電源７１の給電停止状態が継続した場合に有効なシャットダウン信号（図示せず）を情報処理装置８２に対して送出することにより、情報処理装置８２を最も有効な時点でシャットダウン処理させることが可能となる。
【００６６】
また、上記状態の中で、シャットダウン処理に移行する前に、給電が中断していた第一の直流電源７１が復旧して給電を再開すると、リレーＲＬ５がオンとなるので、そのメーク接点ｒ５１をメークすると同時にブレーク接点ｒ５２をブレークしてリレーＲＬ６をオフにし、リレーＲＬ６のブレーク接点がメーク状態となり、第一の直流電源７１が、ＵＰＳ８１に接続される。
【００６７】
このとき、状態検出信号Ｓ５は、第一の直流電源７１が給電状態で、リレーＲＬ５がオン状態であることを示す短絡状態をリレー状態検出回路１９に入力されるが、その結果、リレー状態検出回路１９からは、情報処理装置８２に対して、継続運転が可能であることを示すＬ信号を送出し、情報処理装置８２は、継続運転を行う。
【００６８】
さらに、第一の直流電源７１および第二の直流電源７２とが、共に、給電停止の状態から同時に給電再開したときには、リレーＲＬ５およびＲＬ６は、それぞれのブレーク接点をブレークしてから後にメーク接点をメークするように作動するので、第一の直流電源７１および第二の直流電源７２が短絡することはない。
【００６９】
以上説明したように、自動電源多重化装置１０、６０は、複数組の電源を互いに短絡させることなく、自動的に切り換えて一つの電源を負荷に確実に接続できるとともに、負荷に接続される電源系統を認識できるという効果がある。
【００７０】
なお、上述の第一の実施の形態、第二の実施の形態では、電源が２個の場合について説明したが、３組以上の多重化電源とした場合、説明を省略するが、電源が２個の場合と同様の効果が得られ、また、さらなる電源の信頼性向上が得られるが、この場合も本発明に含まれることは、云うまでもない。
【００７１】
【発明の効果】
以上説明したように、本発明の自動電源多重化装置は、複数組の電源を互いに短絡させることなく、自動的に切り換えて一つの電源を負荷に接続できるとともに、負荷に接続される電源系統を認識できるという効果がある。
【図面の簡単な説明】
【図１】本発明の自動電源多重化装置の第一の実施の形態を示す概略回路図である。
【図２】本発明の自動電源多重化装置の第二の実施の形態を示す概略回路図である。
【図３】リレー状態検出回路を示す図である。
【図４】従来の自動電源多重化装置を示す回路図である。
【符号の説明】
９、１９    リレー状態検出回路
９１    フィルタ回路
９２    比較器
９３    ＮＡＮＤ回路
１０、６０、１４０    自動電源多重化装置
Ｅ１、Ｅ２    電源
２１    商用電源
２２    エンジン発電機
３１    ＵＰＳ（無停電交流電源装置）
３２、８２    情報処理装置
１５０    負荷
７１    第一の直流電源
７２    第二の直流電源
８１    ＵＰＳ（無停電直流電源装置）
ＲＬ１、ＲＬ２    リレー
ＲＬ５、ＲＬ６    リレー
ＲＬ１３、ＲＬ１４    リレー
ｒｌ１    ＲＬ１の接点
ｒｌ２    ＲＬ２の接点
ｒｌ５    ＲＬ５の接点
ｒｌ６    ＲＬ６の接点
ｒｌ１３    ＲＬ１３の接点
ｒｌ１４    ＲＬ１４の接点
ｒ１１、ｒ１２、ｒ１５    接点
ｒ２３、ｒ２４、ｒ２５    接点
ｒ５１、ｒ５３    接点
ｒ６２、ｒ６３    接点
ｒ１３１、ｒ１３２    接点
ｒ１４３、ｒ１４４    接点
ｒ１３、ｒ１４    接点
ｒ２１、ｒ２２    接点
ｒ５２、ｒ６１    接点
ｒ１３３、ｒ１３４    接点
ｒ１４１、ｒ１４２    接点
Ｐ１、Ｐ２、Ｐ３    接続点
Ｐ１１、Ｐ１２、Ｐ１３    接続点
Ｓ１、Ｓ２    状態検出信号
Ｓ５、Ｓ６    状態検出信号
【図１】
2004289964.tif 000003
【図２】
2004289964.tif 000004
【図３】
2004289964.tif 000005
【図４】
2004289964.tif 000006